(57)【要約】【課題】費用を抑えて、施工依頼者の好みを十分に生かしたオリジナル間取りの和室や数寄屋の部屋に施工するする内装施工方法と、この施工方法による室内構造を提供することを課題とする。【解決手段】個々の顧客の要望に合わせたオリジナルな和風又は数寄屋様式の部屋の内装を、柱、床柱、梁木、敷居、鴨居、壁板、天井板、床板などの建材キット、及び、建具、水屋、違い棚、欄間、畳などの完成品を組み立てて施工する内装施工方法と、この施工方法により施工された和室及び数寄屋の室内構造を提案する。【選択図】図２
2006063772.tif 000002
【特許請求の範囲】
【請求項１】
個々の顧客の要望に合わせたオリジナルな数寄屋様式による部屋の内装を、柱、床柱、粱木、敷居、鴨居、壁板、天井板、床板などの建材キット、及び、建具、水屋、違い棚、欄間、畳などの完成品を組み立てて施工することを特徴とする数寄屋様式の内装施工方法。
【請求項２】
下地枠材を部屋の壁面及び床面に沿わせて、柱、床柱、梁木、鴨居、敷居などの部屋の骨組みとなる建材キットとともに組み立て、その後、残りの建材キットと畳を除く前記完成品を、組み立てた下地枠材と建材キットに固定して、床板上に畳を敷く施工方法である請求項１に記載の数寄屋様式の内装施工方法。
【請求項３】
前記建材キットには、該キットの発注管理、在庫管理、納入管理、及び組み立てを容易にする品番、符号、文字、図、絵のいずれかが付されたものが使用される請求項１又は２に記載の数寄屋様式の内装施工方法。
【請求項４】
請求項１ないし３のいずれかに記載の内装施工方法により、マンション、ビル、公共施設などの建物の一室が内装されていることを特徴とする数寄屋様式の室内構造。
【請求項５】
請求項１又ないし３のいずれかに記載の内装施工方法により、一戸建ての茶室の内装が施工されてなることを特徴とする数寄屋様式の室内構造。
【請求項６】
施工希望顧客から好みの間取りと造作をパソコン上で選択してもらうための営業支援ツールであって、
多種類の三次元の間取りパターン及びその品番と、各種類の壁板、壁紙、窓、障子、襖、床柱、梁、書院、天井、欄間、照明器具、坪庭などの造作各部材の画像パターン及びその品番と、好みの品番を指定する品番指定欄とが読出し可能に記憶され、
ディスプレイ上に読出した画像パターンの中からマウス又はキーボード或いはタッチペンなどのいずれか又は複数の入力手段を操作して好みの間取りの部屋を指定し、指定した部屋の所望個所にポインタを合わせてマウスをクリックさせると、その位置に対応した造作各部材の画像パターンがディスプレイ上に表示され、
この画像パターンの中から前記入力手段を操作して好みの造作部材を指定すると、指定した造作部材の画像が前記所望個所にはめ込まれるとともに、作成された部屋の画像とこれら一連の操作で指定した品番が記憶装置に読出し可能に記憶されるプログラムが格納されていることを特徴とするパソコン用記憶媒体。
【請求項７】
施工希望顧客の部屋の間取りをパソコンに入力するための営業支援ツールであって、複数種類の部屋のモデル図及びその寸法引出し線と、寸法引出し線に対応した寸法入力欄とが読出し可能に記憶され、ディスプレイ上に読出した各モデル図の中からマウス又はキーボード或いはタッチペンなどのいずれか又は複数の入力手段を操作して、施工希望者の部屋の間取りに似たモデル図を選択し、選択したモデル図の寸法線に示される部分に対応した現場寸法の測定を行って前記入力手段を操作して寸法入力欄に入力すると、モデル図を入力した寸法値に合わせて補正し、補正後のモデル図と、入力した寸法値を、記憶装置に読出し可能に記憶させるプログラムが格納されていることを特徴とするパソコン用記憶媒体。
【請求項８】
施工予定顧客が施工完成予想の仮想画像をパソコン上で見ることができる営業支援ツールであって、設計者が施工依頼顧客の要望に合わせて作成した二次元及び三次元の完成予想図の画像が読出し可能に記憶され、施工業者及び／又は施工予定顧客のパソコンから読出して、所望の目の高さ、目の向きに対応した三次元画像又は三次元動画でディスプレイに表示可能なプログラムが格納されていることを特徴とするパソコン用プログラム記憶媒体。
【請求項９】
請求項１に記載の建材キット及び完成品などの施工に必要な資材の運送スケジュールを決める資材の運送管理システムであって、資材の調達先の住所と出荷可能スケジュール、資材の数量、運送先の住所、交通ルート、陸上運送及び海上運送の価格、陸上運送及び海上運送業者の運送スケジュール、天候などを、通信回線を通じてディアルタイムで入手し、これらのデータをパソコンで解析して、経済的で効率の良い運送方法と運送日程と運送ルートを決定して、その情報をパソコンの画面に表示させることを特徴とする資材運送管理システム。
【発明の詳細な説明】
【発明の詳細な説明】
【技術分野】
【０００１】  本発明は、オリジナル間取りの数寄屋様式による部屋の内装を組み立てて施工する内装施工方法と、この施工方法により完成した数寄屋様式の室内構造と、施工業者用の営業支援ツールが格納されたパソコン用記憶媒体と、施工に必要な資材の最適な運送スケジュールを決める資材運送管理システムに関する。
【背景技術】
【０００２】  マンションを購入して数１０年が過ぎると、室内の傷みが目立ち、間取りと様式も古くなり、また、子供が独立して家を出ると部屋の数が余ることなどを背景に、最近はマンションの室内のリフォームが多くなっている。マンションのリフォームは、例えば、３ＬＤＫ、４ＬＤＫの間取りを２ＫＤＫや１ＬＤＫにするなど、１部屋当たりのスペースを広くし、広い洋室にする場合が多い。
また、比較的新しいマンションでは、和室が無いマンションもあり、和室があっても、現代風の雰囲気を持つ和室が少なくない。
一方、年齢を重ねると、落ち着いた雰囲気のある和室が欲しいという気持ちが強くなり、とくに茶道、華道を嗜む人、和服を好む人には和室は欠かせない。
このため、マンションの１部屋をリフォームして、落ち着いた雰囲気のある和室、茶道のできる和室、即ち、日本の伝統的な和風及び数寄屋様式の部屋に改装したいと考えられておられる人も少なくない。【０００３】  従来、このような要望を満たす場合には、部屋の内装をいったん取り去って、新しく数寄屋様式の内装を造作していた。
そして、従来では、大工による職人仕事によって改装していたために、施工期間が長く、居住者の生活環境にも支障を与えていた。また、長い作業期間は施工費用にも影響を及ぼす。このため、施工期間を早くすることが重要になる。
この点につき、特開２００１−８１８９４号公報には、施工期間を早くすることを目的として、室内に配置した内壁枠に、プレカットした内壁ボードや天井ボードを貼り付ける施工方法が開示されている。【０００４】  また、手軽に室内に茶室を設置することを目的として、特開２００２−３０９７８６号公報には、組み立て式の小さな茶室を部屋の中に設置する組立小間が開示されている。【０００５】  ところで、最近では、都市の温度上昇と、二酸化炭素による地球温暖化などの環境問題が指摘されており、これを抑制させるために、ビルの屋上緑化が有効であることが知られており、大都市で屋上緑化が増えつつある。そして、屋上緑化に和風庭園を造ると、次は、茶室が欲しいと考える人もいる。また、庭に一戸建ての茶室を建てたいと希望される人もいる。このような場合には、従来では、茶室大工職人に茶室を注文建築の依頼をし、或いはプレハブ建ての茶室を購入していた。【０００６】
【特許文献１】特開２００１−８１８９４号公報
【特許文献２】特開２００２−３０９７８６号公報
【発明が解決しようとする課題】
【０００７】
【０００８】  しかしながら、部屋の内装をいったん取り払って部屋をリフォームすると、施工費用に内装を取り払う費用が加算されるため、施工費用が高くなる。
【０００９】  そして、特開２００１−８１８９４号公報に記載の内装施工方法のように、室内に配置した内壁枠に、プレカットした内壁ボードや天井ボードを貼り付けるという施工方法では、柱、梁、鴨居、敷居などを新たに設けることが難しいため、部屋を洋室にリフォームする場合には問題ないが、部屋を、柱、鴨居、敷居などがある和風及び数寄屋様式の部屋に内装したりリフォームする場合には不向きであった。
【００１０】  そして、特開２００２−３０９７８６号公報に記載の組立小間のように、部屋の中に設置する小間タイプの茶室は、広い洋室の中に置かなければ、部屋が狭くなって部屋に無駄になるスペースができ、また、小間が狭いために茶会を開くことができない。
【００１１】  そして、従来では、一戸建ての数寄屋（茶室）の施工を茶室大工職人に依頼すると建築費用が高く、プレハブ式の茶室は、間取りが数種類に規格化されているために、好みの間取りの茶室が無い場合もある。
【００１２】  本発明は、これらの課題を解消するもので、費用を抑え、短期間で組み立てて、室内をオリジナルの間取りの和室又は数寄屋様式の部屋に新装し、或いはリフォームでき、更なるリフォーム、部屋の一部の模様替え、元の部屋に戻すなどの作業も容易に行える数寄屋様式の内装施工方法と、この施工方法により完成した数寄屋様式の室内構造と、施工希望顧客から好みの間取りと造作をパソコン上で選択してもらうための営業支援ツールが格納されたパソコン用記憶媒体、施工希望顧客の部屋の間取りをパソコンに入力する営業支援ツールが格納されたパソコン用記憶媒体、施工予定顧客が施工完成予想の仮想画像をパソコン上で見ることができる営業支援ツールが格納されたパソコン用記憶媒体、施工に必要な資材の経済的で効率良い運送方法と運送日程と運送ルートを決定して、その情報をパソコンの画面に表示させることができる資材運送管理システムを提供するためにある。
【課題を解決するための手段とその効果】
【００１３】  以上の課題を解決するための手段である請求項１に記載の発明は、個々の顧客の要望に合わせたオリジナルな数寄屋様式による部屋の内装を、柱、床柱、梁木、敷居、鴨居、壁板、天井板、床板などの建材キット、及び、建具、水屋、違い棚、欄間、畳などの完成品を組み立てて施工することを特徴とする数寄屋様式の内装施工方法である。
【００１４】  背景技術の欄で示した特開２００１−８１８９４号公報に記載の内装施工方法では、内壁枠を所定位置に配置し、該内壁枠の開口部を除く全面にプレカットした壁パネルを組み立てて行い、特開２００２−３０９７８６号公報に記載の組立小間は、室内に設置する小型の部屋であるのに対し、本発明の数寄屋様式の内装施工方法は、柱、床柱、梁木、鴨居、敷居なども一緒に組み立てて内装する方法である。このため、床の間のある数寄屋（茶室）に出来上がる。
このように施工現場で組み立てる施工方法は、施工が容易であるため、熟練した職人を要しない。しかも、施工を短期間で済ますことができる。この結果、施工費用を抑えることができる。
建材キットは個々の注文に合わせてプレカットしたものが用いられ、施工現場で組み立てられる。上記の完成品とは、施工現場に搬入される時点で、既に組み立てられている組立品或いは製造されているものであり、完成品を使用することで、施工を更に容易に、しかも短期間で済ますことができる。
建具は、襖、障子、戸、窓のように開閉する動きをするものであり、完成品は、多種類のものの中から選択できる場合が多いので、必ずしも個々の施工現場に合わせて製造する必要はない。
しかも、建材キットの調達を含めたプレカットと完成品の組み立て及び製造を、人件費が安価な地域で行って、施工費用を格段に抑えることができるようになる。人件費が安価な地域とは、例えば、中国、東南アジアである。
尚、最近の和室の内装では、壁土を使用しないで壁紙やクロス貼りしたものが多く、壁紙やクロスも表面に壁土の粒子を固定させたものも数多く市販されている。本発明では、壁板に表面に、このような和風の壁紙やクロスを貼る場合も含まれる。
また、数寄屋の場合には、炉が必要になるが、炉は床に埋め込む埋込型或いは置戸を使用する。
以上、説明したように、本発明の施工方法は、組み立て式であるため、改装や元の部屋に戻す作業も容易である。また、部屋に使用していた材料も傷みが少ないので、リサイクル出来る。
【００１５】  そして、請求項２に記載の発明は、更に、下地枠材を部屋の壁面及び床面に沿わせて、柱、床柱、梁木、鴨居、敷居などの部屋の骨組みとなる建材キットとともに組み立て、その後、残りの建材キットと畳を除く前記完成品を、組み立てた下地枠材と建材キットに固定して、床板上に畳を敷く施工方法に特徴がある数寄屋様式の内装施工方法である。
このように、下地枠材を使用すると、柱、鴨居、敷居などの骨組みになる内装キットも容易に組み立てられる。また、既存の部屋の内装を傷付けないで施工できる。
下地枠材を使用する考え方は、特開２００１−８１８９４号公報に記載の内装施工方法においても見られるが、柱、鴨居、敷居などを下地枠材に固定するという考え方は無かったために、柱、鴨居、敷居などを新たに設ける場合や新しいものに換える場合には大掛かりな作業になっていた。
本発明では、既存の柱、鴨居、敷居がある場合でも、これらを残して施工することが可能である。即ち、既存の部屋と新しい部屋で柱、鴨居、敷居などが略同じ位置になる場合には、これらを併設させることも可能であり、しかも、新しい柱や壁板の背面側に既存の柱が位置するため、既存の柱は部屋の中から見えない。鴨居、敷居は、既存のものが隠れるように枠板で被う。
【００１６】  請求項３に記載の発明は、請求項１又は２に記載の施工方法において、前記建材キットには、該キットの発注管理、在庫管理、納入管理、及び組み立てを容易にする品番、符号、文字、図、絵のいずれかが付されたものが使用される数寄屋様式の内装施工方法である。
このように、内装キットに、品番、施工するときに組み付ける個所を示す表示が記されていると、入出荷、運送、伝票管理、施工時の組み立てる順序の間違いを起こさない。
【００１７】  請求項４に記載の発明は、請求項１ないし３のいずれかに記載の数寄屋様式の内装施工方法により、マンション、ビル、公共施設などの建物の一室が内装されていることを特徴とする室内構造の発明である。即ち、内装施工方法により施工された数寄屋様式の部屋の構造（茶室の構造）の発明である。このため、建物内の一室を、施工依頼主の要望に沿った数寄屋造りの部屋にリフォームでき、リフォームが短期間で、費用を抑えて出来る。
【００１８】  請求項５に記載の発明は、請求項１ないし３のいずれかに記載の数寄屋様式の室内施工方法により一戸建ての茶室の内装が施工されてなることを特徴とする数寄屋様式の室内構造の発明である。
従来では、茶室の建築は茶室大工が施工していたため、施工価格が高価であり、施工現場で大工仕事を行っていたために、施工期間も長かったのに対し、本発明では、茶室の内装が短期間で、費用を抑えて施工出来るので、外装を含めた茶室全体を低価格で提供できる。茶室の外装は、注文建築によるものでも構わないが、施工期間が早く低価格で設置できるプレハブ式の外装にすることが好ましい。
【００１９】  また、本発明では、施工業者と顧客との打ち合わせを円滑に進める営業支援ツールを提案する。
その１つである請求項６に記載の発明は、施工希望顧客から好みの間取りと造作をパソコン上で選択してもらうための営業支援ツールであって、
多種類の三次元の間取りパターン及びその品番と、各種類の壁板、壁紙、窓、障子、襖、床柱、梁、書院、天井、欄間、照明器具、坪庭などの造作各部材の画像パターン及びその品番と、好みの品番を指定する品番指定欄とが読出し可能に記憶され、
ディスプレイ上に読出した画像パターンの中からマウス又はキーボード或いはタッチペンなどのいずれか又は複数の入力手段を操作して好みの間取りの部屋を指定し、指定した部屋の所望個所にポインタを合わせてマウスをクリックさせると、その位置に対応した造作各部材の画像パターンがディスプレイ上に表示され、
この画像パターンの中から前記入力手段を操作して好みの造作部材を指定すると、指定した造作部材の画像が前記所望個所にはめ込まれるとともに、作成された部屋の画像とこれら一連の操作で指定した品番が記憶装置に読出し可能に記憶されるプログラムが格納されていることを特徴とするパソコン用記憶媒体である。
【００２０】  この営業支援ツールは、施工前のプレゼンテーション用ツールであり、記憶媒体は、ＨＤ、ＣＤ、ＦＤ、ＭＯ、ＤＶＤなどである。
施工前に顧客から希望の間取りと使用する部材などを聞いて、ＣＡＤを使って二次元の図面、三次元のパース図による完成予想図、施工完成画像を作成して顧客に提出することは、従来においても建築分野で一般的に行われていたが、間取りと材料の組み合わせが好みに合うのか完成予想図を見なければ判らなかった。
この請求項６に記載のパンコン用記憶媒体を利用すると、施工業者及びその営業マンと顧客とが、パソコンを見ながら操作して、完成予想図を画像のはめ込みで作成出来るので、顧客の好みを正確に反映した完成予想図が、その場で出来上がる。
【００２１】  そして、請求項７において、施工希望顧客の部屋の間取りをパソコンに入力するための営業支援ツールであって、複数種類の部屋のモデル図及びその寸法引出し線と、寸法引出し線に対応した寸法入力欄とが読出し可能に記憶され、ディスプレイ上に読出した各モデル図の中からマウス又はキーボード或いはタッチペンなどのいずれか又は複数の入力手段を操作して、施工希望者の部屋の間取りに似たモデル図を選択し、選択したモデル図の寸法線に示される部分に対応した現場寸法の測定を行って前記入力手段を操作して寸法入力欄に入力すると、モデル図を入力した寸法値に合わせて補正し、補正後のモデル図と、入力した寸法値を、記憶装置に読出し可能に記憶させるプログラムが格納されていることを特徴とするパソコン用記憶媒体も提案する。
【００２２】  従来、施工予定の部屋の間取りを採寸した後の記録は、間取り図を描き、筆記で記入する方法で行われていたために、設計者や熟練した施工業者がこの作業をしなければ、採寸を忘れる個所が生じ易く、また、図面が正確でない場合も予想される。しかしながら、請求項７に記載のパソコン用記憶媒体を利用すると、採寸する個所がパソコンのディスプレイに表示されるので、採寸する個所の忘れがない。また、採寸した数値をパソコンに入力すると、図面が自動的に正確に補正されるので、正確な図面が出来上がる。
【００２３】そして、請求項８において、施工予定顧客が施工完成予想の仮想画像をパソコン上で見ることができる営業支援ツールであって、設計者が施工依頼顧客の要望に合わせて作成した二次元及び三次元の完成予想図の画像が読出し可能に記憶され、施工業者及び／又は施工予定顧客のパソコンから読出して、所望の目の高さ、目の向きに対応した三次元画像又は三次元動画でディスプレイに表示可能なプログラムが格納されていることを特徴とするパソコン用プログラム記憶媒体も提案する。
【００２４】  この請求項８に記載のパソコン用プログラム記憶媒体を利用すると、施工完成予想図の画像や動画をパソコンのディスプレイ上でバーチャル表示できるようになる。このため、完成予想の部屋の間取りや雰囲気を解り易く施工依頼主に示すことができ、とくに、目の高さと方向に合わせた視線で部屋の中を見ることができるので、施工依頼者を満足させ、施工の本注文の獲得から施工完成までを円滑に進めることができ、施工完成後に生じ易い施工依頼者からの不満や改善の要求が生じない。
【００２５】  また、本発明では、請求項９において、請求項１に記載の建材キット及び完成品などの施工に必要な資材の運送スケジュールを決める資材の運送管理システムであって、資材の調達先の住所と出荷可能スケジュール、資材の数量、運送先の住所、交通ルート、陸上運送及び海上運送の価格、陸上運送及び海上運送業者の運送スケジュール、天候などを、通信回線を通じてディアルタイムで入手し、これらのデータをパソコンで解析して、経済的で効率の良い運送方法と運送日程と運送ルートを決定して、その情報をパソコンの画面に表示させることを特徴とする資材運送管理システムを提案する。
【００２６】  このシステムを利用すると、請求項１に記載の内装キット及び完成品を安価に調達できるだけでなく、運送面のコストを抑えることができる。とくに、建材などの資材を、中国、東南アジアで安く調達し、加工もこれらの国で行うと加工賃を格段に安く抑えることができるが、輸送コストを抑えることが重要になる。本発明の資材運送管理システムは、この点を改善するシステムである。
【発明を実施するための最良の形態】
【００２７】  本発明を実施するための最良の形態を次の実施例に挙げる。
【実施例１】
【００２８】  図１は数寄屋様式の部屋の内部を斜視図で示し、図２はその施工途中の状態を斜視図で示す。
図１に示す数寄屋様式の部屋１はマンションの１室（部屋）の内装を改装して出来ている。その施工は、図１及び図２に示すように、施工前の部屋が和室である場合には畳を取り除いた後、下地枠材２と、柱５、床枠６、鴨居７、敷居８、梁１０、床柱１１、壁板１２、床板１３、天井板１５、壁紙１７、欄間１８などの内装キット３と、障子１９、畳２０、襖２１、違い棚２２などの既に作り上げられたユニット品４とを組み立てて行う。【００２９】  内装キット３は、施工する部屋１の内装に合わせてプレカットされたものが用いられる。ユニット品４は、施工する部屋１の内装に合わせたオリジナル製作品を使用しても良く、また、別途製作した複数の種類ものの中から好みのものを選択して使用しても良いが、現場の施工に時間を掛けないようにするために、いずれの場合も施工現場に搬入される以前に組み立てられ、或いは製造されているものが用いられる。【００３０】  図２に示すように、これらの材料を組み立てる施工は、先ず、下地枠材２と、内装キット３のうちの柱５、床枠６、鴨居７、敷居８、梁１０、床柱１３など内装の骨組みとなる材料と、部屋１の壁面Ｄ及び床面Ｆに沿わせて内装の骨格を形成し、床の間と書院の間に間仕切り１８も同時に形成する。部屋１を高床構造にしてその上に畳２０を敷設する場合には、床枠材６を組み付けて高床枠Ｆ２を同時に形成する。
そして、高床枠Ｆ２の上に床板１３を敷設する。尚、元の部屋に床の間や書院がある場合には、これらの空間を利用して、床の間や書院を設けることが好ましい。また、元の部屋に押し入れがある場合も、この空間を有効に生かして、床の間、書院、収納室などに改装することが好ましい。
次に、壁面Ｄに沿わせた下地枠材２に壁板１２を貼り付けて新たに壁面Ｄ１を形成し、既存の部屋１に窓Ｗが設けられている場合には、壁面Ｄ１に窓Ｗに合わせた大きさの開口部Ｐ１が形成されるように下地枠材２と壁板１２とを組み立てて、この開口部Ｐ１に障子１７の窓枠２４を嵌め込んで固定する。
次に、天井板１４を貼り付ける。
そして、天井板１４と梁１０の間に形成されている空間Ｐ２と、天井板１４と鴨居７の間に形成されている空間Ｐ３に、図１に示すように、それぞれ欄間１８Ａ，１８Ｂを嵌め込んで固定する。
そして、床板１３の上に畳２を敷き、襖と障子を取り付けると、施工は完了する。
尚、上述した施工の手順と数奇屋の様式は、一例であり、必ずしも上述した施工手順及び様式に限定されない。【００３１】  このようにして数奇屋様式の部屋１に施工する。尚、炉２３には、床に掘り込むタイプの炉、又は置炉が知られているが、床に掘り込む様式の炉にする場合には、高床枠Ｆ２を形成するときに、この炉を嵌め込む凹部を形成する。
図１及び図２に示す数奇屋様式の部屋１は、４畳半であり、その中央に位置する半畳の畳２０Ａを取り除くと、堀炬燵（こたつ）になるように、床に凹部を形成し、この凹部の上を床板１３ａで覆い、その上に半畳の畳２０Ａを敷設することが好ましい。【００３２】  照明器具、空調器具も必要であれば取り付ける。元の部屋に取り付けられている空調器具をそのまま利用する場合には、壁板１２又は天井板１４に空調器具に合わせた開口を形成して、空調器具の前面を嵌め込む。照明器具は、オリジナルデザインのものを別途、製作し、これを取り付けると、尚良い。天井は、舟形天井にしても良い。
【実施例２】
【００３３】  図３は、ビル２５の屋上庭園２７に茶室２９を設けた図を示しており、この図に示す茶室２９は一戸建ての和風プレハブのものである。この茶室２９は、搬入に適した大きさにプレカットした天井板３０と外壁３１を組み立て、室内を上述した内装の施工を仕上げて完成させた組み立て式の内装構造を有する。【００３４】  図４は、柱５と下地枠材２と壁板１２を斜視図で示しており、この図に示すように、柱５、下地枠材２、壁板１４などの内装キットは、施工に合わせた長さにプレカットされたものが用いられる。そして、例えば、柱５は、その両端部に、組み付けに必要なホゾ５ａがプレカットされたものが用いられ、下地枠材２は、その一端部に、このホゾ５ａが嵌まるホゾ孔２ａがプレカットされたものが用いられる。尚、下地枠材２の他端部にも同様のホゾ孔３ａがプレカットされているが、このホゾ孔２ｂは、別の柱のホゾを嵌め入れるためにある。【００３５】  図５は、建材である柱４の一端部を斜視図で示しており、この図に示す柱４は、その一端部に柱４の組み立てを容易にする文字が書かれたシールＳが貼り付けられ、ホゾ４ａに焼印３４による品番が記されており、このように柱４に、品番、組み付け位置などが記されていると、柱４の発注管理、在庫管理、納入管理、及び組み立てなどが容易になる。
【実施例３】
【００３６】  図６は、数寄屋様式の造作を施工する施工業者用の営業支援ツールのデータが表示されたパソコンの画面Ｄを示している。
この営業ツ支援ールは、実行プログラムと後述する情報がインストールされた記憶媒体（ＨＤ，ＣＤ，ＤＶＤ，ＦＤ等）である。【００３７】  メモリ登録されてディスプレイＤに読出される画像は、和風及び数寄屋様式の部屋の二次元画によるモデル図４０と、このモデル図４０のポイントとなる語句を表示したタイトル欄４１と、このモデル図４０の品番を表示した品番表示欄４２と、このモデル図４０の画像の説明欄４３と、施工依頼者がこのモデル図４０の部屋と同じ部屋の施工を希望する場合に、マウスでクリックしてこの品番を選択する「はい」ボタン４４ａ、次のモデル図にスクロールする「次へ」ボタン４４ｂ、前のモデル図に戻る「戻る」ボタン４４ｃが表示された選択欄４４と、このプログラムの実行をクリックして終了させる終了ボタン４５とからなる。品番の選択欄４４を除く欄（４，４２，４３）は、多種類のものがメモリされており、これらはディスプレイＤ上にスクロール表示可能である。【００３８】  プログラムのスタートは、このプログラムのスタート画面から、上記各欄（４０，４１，４２，４３，４４，４５）の表示により始まり、上記各ボタン４４ａ，４４ｂ，４４ｃ及び終了ボタン４５のクリック操作により展開する。
即ち、「次へ」ボタン４４ｂと、「戻る」ボタン４４ｃのクリック操作により、対応する方向のスクロールが開始する。これに対し、「はい」ボタン４４ａのクリック操作により、ディスプレイＤに表示されている品番がメモリ登録される。【００３９】  品番のメモリ登録が終わると、次に、このモデル図４０に、壁色、窓、引戸、照明などを順に付加選択する工程に移り、これらのデータの登録を終えると、プログラムスタート画面に戻る。例えば、壁色を選択する工程では、ディスプレイＤ上に表示されている説明欄４３に代わり、壁色のカラーチャートが表示され、このチャートの中から好みの壁色を選択する。そして、モデル図４０の壁の位置にマウスポインタを合わせて、マウスをクリックさせると、モデル図の壁が、選択した壁色に着色される。【００４０】  そして、次の工程で、例えば、カラーチャートに代わり、障子のモデル図がスクロール可能に表示され、好みの障子のモデル図を選択すると、モデル図４０の障子の位置に、選択した障子の画像がはめ込まれる。
このようにして、順に、モデル図４０を好みの造作に変えていく。即ち、初期のモデル図４０は、モデル図の原型である。
尚、メモリ登録された品番は、施工希望者の氏名、連絡先などの個人情報とともにデータ保存され、このデータは設計者に通信回線を通じて送信可能である。これに対し、「終了」ボタン４５をクリックすると、プログラムスタート画面に戻る。
【実施例４】
【００４１】  図７（ａ）及び（ｂ）は、何れも、数寄屋様式の造作を施工する施工業者用の営業支援ツールのデータ画像が表示されたパソコンの画面Ｄを示している。このツールは、施工業者の営業マンが、施工希望の部屋の間取りと寸法をパソコンに入力するためのプログラムと後述する情報がメモリされた記憶媒体（ＨＤ，ＣＤ，ＤＶＤ，ＦＤ等）であり、前述したツールとは使用目的が異なるが、前述したツールと共に１台のパソコンにインストールしておくことが好ましい。【００４２】  このツールにメモリされてディスプレイＤ上に読出し可能な情報は、図７（ａ）に示す三次元座標上に表示されるモデル図５０と、図７（ｂ）に示す二又次元座標上に表示されるモデル図５０Ａと、このモデル図５０（５０ａ）のポイントとなる語句を表示したタイトル欄５１と、このモデル図５０（５０Ａ）の品番を表示した品番表示欄５２と、モデル図５０（５０Ａ）に表示されている寸法引出し線に該当する寸法を施工現場で測定して、キーボードとマウスを使用して入力する寸法入力欄５３である。
三次元のモデル図５０と二次元のモデル図５０Ａは、キーボード又はマウスを操作して、ディスプレイＤに表示されている画面の切替操作をすることにより交互に表示される。【００４３】  施工業者が施工される部屋の各部の寸法を測定して、パソコンにその寸法を入力すると、施工現場の正確な間取りが寸法とともにデータ保存されるので、このデータを通信回線を通じて、設計者のパソコンに送信すると、設計者は、施工予定の間取りを正確に知ることができ、短期間のうちに施工完成予想図を作成することができ、また、設計図を作成するデータとして使用できる。
【実施例５】
【００４４】  図８は、数寄屋様式の造作を施工する施工業者の営業支援用ツールのデータ画像が表示されたパソコンの画面Ｄを示している。このツールは、設計者が作成した施工依頼者が希望する数寄屋様式造作の二次元及び三次元の完成予想図の画像データを、施工業者及び／又は施工依頼者のパソコンＰＸのディスプレイＤに表示し、この表示した数寄屋様式造作の画像が、居住者の目の高さ、目の向きに対応した三次元画像又は三次元動画で表示することができるプログラ厶とデータがＨＤ，ＣＤ，ＭＯ，ＤＶＤに格納された記憶媒体であり、この画像データは、これらの記憶媒体を施工業者及び／又は施工依頼者のパソコンに、インストールされ、或いは通信回線を通じてデータ送信される。
このツールは、施工依頼者が、マウスＭを操作して、自由に目の高さと視線を方向を変化させて、施工完成後の部屋のバーチャル画像を見て、部屋の様式と雰囲気などを確認し、更に要望があれば、施工前にその要望を伝えることができるようにするためにある。
【実施例６】
【００４５】  図９は、設計者側のパソコンＰ１と施工業者の営業マンのパソコンＰ２と施工依頼者のパソコンＰ３を示しており、この図に示すように、前述したいずれか又は双方の営業支援ツールにデータを入力し、このデータをインターネットで送受信すると、打ち合わせた内容に間違いが無くなり、施工依頼主が決定した品番を店舗デザイナーや設計者にデータ送信でき、デザインのプランニングや設計の見積もり、完成予想図を施工依頼主に早く提供できるようになる。
【図面の簡単な説明】
【００４６】
【図１】数寄屋様式の部屋の内部を斜視図で示した斜視図である。
【図２】同じく施工途中の状態を示した斜視図である。
【図３】ビルの屋上庭園に茶室を設置した状態を示した図である。
【図４】柱と下地枠材と壁板を示した斜視図である。
【図５】柱の一端部を示した斜視図である。
【図６】数寄屋様式の造作を施工する施工業者用の営業支援ツールのデータが表示されたパソコンの画面を示した図である。
【図７】（ａ）は、数寄屋様式の造作を施工する施工業者用の営業支援ツールの三次元データ画像が表示されたパソコンの画面を示した図、（ｂ）は、数寄屋様式の造作を施工する施工業者用の営業支援ツールの二次元データ画像が表示されたパソコンの画面を示した図である。
【図８】数寄屋様式の造作を施工する施工業者用の営業支援ツールのデータが表示されたパソコンセットを示した図である。
【図９】設計者側のパソコンと施工業者の営業マンのパソコンと施工依頼者のパソコンを示した図である。
【符号の説明】
【００４７】  １    （数奇屋様式の）部屋
２    下地枠材
３    内装キット
４    ユニット品
５    柱
６    床枠
７    鴨居
８    敷居
９    天井野地
１０    梁
１１    床柱
１２    壁板
１３    床板
１５    天井板
１７    壁紙
１８    欄間
１９    障子
２０    畳
２１    襖
２２    違い棚
２４    窓枠
３１    壁枠
３５    間仕切り
Ｄ    壁面
Ｆ    床
Ｗ    窓
【図１】
2006063772.tif 000003
【図２】
2006063772.tif 000004
【図３】
2006063772.tif 000005
【図４】
2006063772.tif 000006
【図５】
2006063772.tif 000007
【図６】
2006063772.tif 000008
【図７】
2006063772.tif 000009
【図８】
2006063772.tif 000010
【図９】
2006063772.tif 000011